(57)【要約】【課題】出力差の少ない一対の磁気ヘッドを備えた回転式ヘッドを提供する。【解決手段】ギャップＧ１、Ｇ２のアジマス角が異なるとともにギャップ位置から基板５２面までの高さが磁気ヘッド２１，４１において同一に設定されてなり、各磁気ヘッド２１、４１は、Ｉ型コア２３、４３及びＣ型コア２２、４２が突き合わされてなり、ギャップ位置がＩ型コア２３、４３及びＣ型コア２２、４２の幅方向に対して偏心せしめ、回転シリンダの回転方向に沿って、Ｃ型コア２２がＩ型コア２３に対して先行するとともに、Ｉ型コア４３がＣ型コア４２に対して先行するように配置されてなる回転式磁気ヘッドを採用する。【選択図】　　　　図６
2004079155.tif 000002
【特許請求の範囲】
【請求項１】
ギャップのアジマス角が異なる少なくとも一対の磁気ヘッドと、該各磁気ヘッドを搭載する基板を備えた回転シリンダとを具備してなり、前記磁気ヘッドのギャップ位置から前記基板面までの高さが各磁気ヘッドにおいて同一に設定されてなるとともに、各磁気ヘッドの相対位置が前記回転シリンダの回転軸対称となるように設定されてなる回転式ヘッドであり、
前記一対の磁気ヘッドは、Ｉ型コア及び巻線溝を有するＣ型コアが前記ギャップを介して突き合わされてなるとともに、前記ギャップ位置が前記Ｉ型コア及びＣ型コアの幅方向に対して偏心せしめるように設けられ、
前記回転シリンダの回転方向に沿って、一方の磁気ヘッドのＣ型コアがＩ型コアに対して先行するとともに、他方の磁気ヘッドのＩ型コアがＣ型コアに対して先行するように配置されたことを特徴とする回転式ヘッド。
【請求項２】
各磁気ヘッドに前記ギャップを挟んで該ギャップのトラック幅を規制する一方及び他方のトラック溝が設けられ、各トラック溝の深さが異なるように形成されていることを特徴とする請求項１に記載の回転式ヘッド。
【請求項３】
前記一対の磁気ヘッドのうち、一方の磁気ヘッドのアジマス角が前記基板の基板面の法線方向を基準として＋１０°以上であり、他方の磁気ヘッドのアジマス角が前記基板の基板面の法線方向を中心として−１０°以下であることを特徴とする請求項１または請求項２のいずれかに記載の回転式ヘッド。
【請求項４】
テープリールから引出されたテープ媒体が、請求項１ないし請求項３のいずれかに記載の回転式ヘッドに巻き掛けられて構成されるテープローディング系路を具備してなることを特徴とするテープ媒体記録再生装置。
【請求項５】
前記テープローディング系路には、
回転駆動される前記回転式ヘッドと、
前記回転式ヘッドの上流側と下流側にそれぞれ設けられ、前記テープリールから引出されたテープ媒体を前記回転式ヘッドに巻き付けるために前記テープ媒体を案内するガイドポストと、
前記回転式ヘッドの下流側に設けられて、前記テープ媒体を走行させるキャプスタンとが備えられていることを特徴とする請求項４に記載のテープ媒体記録再生装置。
【発明の詳細な説明】
【０００１】
【発明の属する技術分野】
本発明は、ＶＴＲ等の映像ヘッド若しくは音声ヘッド等として用いられる回転式ヘッドに関する。
【０００２】
【従来の技術】
従来のＶＴＲ用の回転式ヘッドは、ギャップのアジマス角が異なる少なくとも一対の磁気ヘッドと、これら磁気ヘッドを搭載する回転シリンダ本体とから概略構成されている。
各磁気ヘッドは、ギャップを介して一対のコアが突き合わされてなり、しかも各ギャップが、各コアの幅方向に対して偏心する位置に設けられている。そして、コアの側面を回転シリンダ本体に基板に接合する際に、各磁気ヘッドのギャップ位置の高さを一致させるのが通常である。
【０００３】
次に、上記の磁気ヘッドの製造方法について説明する。
従来の回転式ヘッドに用いられる磁気ヘッドを製造する際には、図１１に示すように、巻線溝２０４を有するＣ型コアブロック２０１と、Ｉ型コアブロック２０２とを一体化させてなるコアブロック２０３を用意する。
このコアブロック２０３は、図示略のギャップ層を挟んでＣ型及びＩ型コアブロック２０１、２０２の各突合せ面２０１ａ、２０２ａを相互に突き合わせて形成したもので、各突合せ面２０１ａ、２０２ａに設けられた複数のトラック溝２０１ｂ…、２０２ｂ…の位置を相互に合わせた状態で一体化されて形成されている。尚、各トラック溝２０１ｂ…、２０２ｂ…にはガラス等の非磁性材料が充填されている。また、各トラック溝２０１ｂ…、２０２ｂ…が露出する上面２０３ａが最終的に磁気ヘッドの媒体摺動面となる。
【０００４】
次に、一対の磁気ヘッドのうちの一方を製造するには、図１２Ａに示すように、先程のコアブロック２０３を上面２０３ａ側から望んだ際に、Ｃ型コアブロック２０１が右側に位置するように配置した状態で、図中一点鎖線に示す切断線に沿って切断する。各切断線は各突合せ面２０１ａ、２０２ａに対して所定の角度をもって図中左下がりに傾斜しており、また各切断線はトラック溝２０１ｂ、２０２ｂを非対称に分割するように設定されている。
【０００５】
同様に、一対の磁気ヘッドのうちの他方を製造するには、図１２Ｂに示すように、先程のコアブロック２０３を図１２Ａと同様に配置した状態で、図中一点鎖線に示す切断線に沿って切断する。各切断線は各付合せ面２０１ａ、２０２ａに対して所定の角度をもって図中右下がりに傾斜しており、また各切断線はトラック溝２０１ｂ、２０２ｂを非対称に分割するように設定されている。
【０００６】
図１３は、コアブロック２０３を切断して得られた一方及び他方の磁気ヘッドを示す。
図１３Ａに示すように、一方の磁気ヘッド１００は、板状のＣ型コア１０１及びＩ型コア１０２が突合わされて概略構成されている。Ｃ型コア１０１には巻線溝１０４が設けられており、この巻線溝１０４を通して各コア１０１、１０２に図示略のコイルが巻回されている。Ｃ型コア１０１及びＩ型コア１０２の図中手前側の各面が取付面１０１ａ、１０２ａとされており、この取付面１０１ａ、１０２ａが回転シリンダに接合される。そして、この磁気ヘッド１００においては、ヘッドの移動方向に対してＣ型コア１０１がＩ型コア１０２よりも先行するように回転シリンダに配置される。
また、磁気ヘッド１００には媒体摺動面１００ａが設けられている。各コア１０１、１０２の突合せ部には非磁性材料からなるギャップ層１０５が挟み込まれており、このギャップ層１０５が媒体摺動面１００ａ側に露出することによりギャップＧ１が形成されている。ギャップＧ１は、取付面１０１ａ、１０２ａに対して所定の角度で傾斜している。
また、図１３Ａの拡大図に示すように、ギャップＧ１の幅方向両側にはトラック溝１０６ａ、１０６ｂが設けられ、各トラック溝１０６ａ、１０６ｂにはガラス等の非磁性材料１０６ｃ、１０６ｄが充填されている。また、取付面１０１ａ、１０２ａ側のトラック溝１０６ｂが、反対側のトラック溝１０６ａよりも深く形成されている。
これにより、ギャップＧ１がコア１０１，１０２幅方向に対して取付面１０１ａ、１０２ａの反対側に偏心して位置することになる。
【０００７】
同様に、図１３Ｂに示すように、他方の磁気ヘッド１５０は、Ｃ型コア１５１及びＩ型コア１５２から概略構成され、Ｃ型コア１５１には巻線溝１５４が設けられている。Ｃ型コア１５１及びＩ型コア１５２の取付面１５１ａ、１５２ａが回転シリンダに接合される。また、この磁気ヘッド１５０においては、ヘッドの移動方向に対してＣ型コア１５１がＩ型コア１５２よりも先行するように回転シリンダに配置される。
また、磁気ヘッド１５０には媒体摺動面１５０ａが設けられ、各コア１５１、１５２の突合せ部にはギャップ層１５５が挟み込まれてギャップＧ２が形成されている。このギャップＧ２は、取付面１５１ａ、１５２ａに対して所定の角度で傾斜し、更に磁気ヘッド１００のギャップＧ１に対して相反する方向に傾斜している。
また、図１３Ｂの拡大図に示すように、ギャップＧ２の幅方向両側にはトラック溝１５６ａ、１５６ｂが設けられ、取付面１５１ａ、１５２ａ側のトラック溝１５６ａが、反対側のトラック溝１５６ｂよりも深く形成されている。
これにより、ギャップＧ２がコア１５１，１５２幅方向に対して取付面１５１ａ、１５２ａの反対側に偏心して位置することになる。
【０００８】
ところで、回転式ヘッドにおいては、アジマス角の異なる一対の磁気ヘッド１００，１５０の間で出力信号の強度が一致することが望ましい。各磁気ヘッドの出力信号の強度は、主にＣ型コアのギャップ近傍の体積に大きな影響を受けるため、各磁気ヘッド１００，１５０の出力信号の強度を一致させるには、それぞれのＣ型コア１０１、１５１のギャップ近傍の体積を同一にすることが好ましい。
【０００９】
【発明が解決しようとする課題】
しかし、図１３Ａ及び図１３Ｂに示すように、従来の磁気ヘッド１００、１５０では、コアブロック２０３の切断位置並びにトラック溝２０１ｂ、２０２ｂとの位置関係により、Ｃ型コア１０１、１５１の各ギャップＧ１、Ｇ２から１００μｍまで部分Ｍ１、Ｍ２の形状が異なっている。このため、各部分Ｍ１、Ｍ２の体積が例えば、Ｍ１で４７３×１０−６ｍｍ３、Ｍ２で３４０×１０−６ｍｍ３となり、他方の磁気ヘッド１５０のギャップ近傍のＣ型コア体積が一方の磁気ヘッド１００のギャップ近傍のＣ型コア体積の７２％程度となっている。このコア体積の相違は、特に各ギャップＧ１，Ｇ２をコア幅方向に対して偏心させることによって顕著になる。
このため、各磁気ヘッド１００、１５０間で出力差が生じ、特に各磁気ヘッド１００、１５０のアジマス角が±１０°よりも広がると、出力差の影響が顕著になり、回転式ヘッドの特性に悪影響を及ぼすという問題があった。
【００１０】
本発明は、上記事情に鑑みてなされたものであって、ギャップが偏心されるとともにアジマス角が大きくなった場合でも出力差の少ない磁気ヘッドを備えた回転式ヘッドを提供することを目的とする。
【００１１】
【課題を解決するための手段】
上記の目的を達成するために、本発明は以下の構成を採用した。
本発明の回転式ヘッドは、ギャップのアジマス角が異なる少なくとも一対の磁気ヘッドと、該各磁気ヘッドを搭載する基板を備えた回転シリンダとを具備してなり、前記磁気ヘッドのギャップ位置から前記基板面までの高さが各磁気ヘッドにおいて同一に設定されてなるとともに、各磁気ヘッドの相対位置が前記回転シリンダの回転軸対称となるように設定されてなる回転式ヘッドであり、前記一対の磁気ヘッドは、Ｉ型コア及び巻線溝を有するＣ型コアが前記ギャップを介して突き合わされてなるとともに、前記ギャップ位置が前記Ｉ型コア及びＣ型コアの幅方向に対して偏心せしめるように設けられ、前記回転シリンダの回転方向に沿って、一方の磁気ヘッドのＣ型コアがＩ型コアに対して先行するとともに、他方の磁気ヘッドのＩ型コアがＣ型コアに対して先行するように配置されたことを特徴とする。
【００１２】
係る回転式ヘッドによれば、ギャップ位置が前記Ｉ型コア及びＣ型コアの幅方向に対して偏心せしめるように設けられた状態で、一方の磁気ヘッドのＣ型コアがＩ型コアに対して先行するとともに、他方の磁気ヘッドのＩ型コアがＣ型コアに対して先行するように配置構成されているので、Ｃ型コアのギャップ近傍部の形状が各磁気ヘッド間でほぼ同一形状となり、ギャップ近傍部の体積がほぼ同一になって出力信号の強度を一致させることができる。
【００１３】
また本発明の回転式ヘッドは、先に記載の回転式ヘッドであり、各磁気ヘッドに前記ギャップを挟んで該ギャップのトラック幅を規制する一方及び他方のトラック溝が設けられ、各トラック溝の深さが異なるように形成されることを特徴とする。
【００１４】
係る回転式ヘッドによれば、各磁気ヘッドのギャップ位置から前記基板面までの高さが各磁気ヘッドにおいて同一に設定されてなる上に、各磁気ヘッドの各ギャップのトラック幅を規制する一方及び他方のトラック溝の深さが異なるように形成される。このため、磁気ヘッド同士においては、一方のトラック溝同士、他方のトラック溝同士で溝の深さがそれぞれ同一となり、これにより、Ｃ型コアのギャップ近傍部の形状が各磁気ヘッド間でほぼ一致させることができ、各磁気ヘッド同士の出力信号の強度を一致させることができる。
【００１５】
また本発明の回転式ヘッドでは、前記一対の磁気ヘッドのうち、一方の磁気ヘッドのアジマス角が前記基板の基板面の法線方向を基準として＋１０°以上であり、他方の磁気ヘッドのアジマス角が前記基板の法線方向を中心として−１０°以下であることが好ましい。
尚、アジマス角の範囲については、一方の磁気ヘッドについては＋１０°以上＋３０°以下の範囲、他方の磁気ヘッドについては−３０°以上−１０°以下の範囲が好ましい。
【００１６】
尚、上記の＋３０°及び−３０°の値は、現在、デジタルＶＨＳ記録方式の映像用ヘッドのアジマス角の規格値が±３０°であること、ＨｉＦｉ方式の音声ヘッドのアジマス角の規格値が±３０°であること、に基づいて便宜的に定めたものである。本発明の範囲は±３０°の範囲に限定されるものでなく、将来的にこれらのアジマス角の規格値が変更されれば、その規格においても本発明を適用することが可能である。特に本発明の効果は、アジマス角の範囲がより広がった場合に顕著となる。即ち、アジマス角が±１０°の範囲より広がった場合に信号の出力差が生じにくくなる。
【００１７】
次に、本発明のテープ媒体記録再生装置は、テープリールから引出されたテープ媒体が、先のいずれかに記載の回転式ヘッドに巻き掛けられて構成されるテープローディング系路を具備してなることを特徴とする。
【００１８】
係るテープ媒体記録再生装置によれば、上記の回転式ヘッドを備えているので、チャンネル間の出力差の少ないテープ媒体記録再生装置を構成できる。
【００１９】
また本発明のテープ媒体記録再生装置は、先に記載のテープ媒体記録再生装置であり、前記テープローディング系路には、回転駆動される前記回転式ヘッドと、前記回転式ヘッドの上流側と下流側にそれぞれ設けられ、前記テープリールから引出されたテープ媒体を前記回転式ヘッドに巻き付けるために前記テープ媒体を案内するガイドポストと、前記回転式ヘッドの下流側に設けられて、前記テープ媒体を走行させるキャプスタンとが備えられていることが好ましい。
【００２０】
【発明の実施の形態】
以下、本発明の実施形態を図面を参照して説明する。
図１には、本発明の実施形態のテープ媒体記録再生装置のテープローディング系路の平面模式図を示す。この図１に示すテープ媒体記録再生装置は、回転式ヘッドを具備してなり、ＶＴＲ等の機器に用いられるもので、モータにて回転駆動される回転式ヘッド１が設けられ、この回転式ヘッド１に磁気ヘッド２１、４１が搭載されている。図１のテープ媒体記録再生装置においては、送出側テープリール１１から引出された磁気テープ（テープ媒体）Ｔが、ガイドポスト１３ａに案内されて、回転式磁気ヘッド１に所定角度巻き付けられ、さらにガイドポスト１３ｂに案内され、キャプスタン１４とピンチローラ１５とで挟持され、キャプスタン１４の回転により図示矢印方向へ走行させられ、最終的にこの磁気テープＴは図示略の巻取側テープリール１２に巻き取られる。このようにして、回転式磁気ヘッド１と磁気テープＴを具備してなるテープローディング系路が構成されている。
またテープローディング経路には、全幅消去ヘッドＨａと音声用ヘッドＨｂが備えられている。
【００２１】
図２には、回転式磁気ヘッド１の詳細な構造を示す。図２に示すように、本発明に係る回転式磁気ヘッド１は、２つの磁気ヘッド２１、４１と、各磁気ヘッド２１、４１を搭載する図示略の基板を備えた回転シリンダ５１とから概略構成されている。各磁気ヘッド２１，４１にはコイル２９、４９が備えられている。そしてこの回転式磁気ヘッド１は図中矢印方向に沿って回転するように構成されている。また、各磁気ヘッド２１，４１の相対位置が回転シリンダ５１の回転軸対称となるように設定されている。
図３には、回転式磁気ヘッド１の要部断面図を示す。図３に示すように、回転シリンダ５１に基板５２が取り付けられ、この基板５２の先端側に前述の磁気ヘッド２１，４１が接合されている。また、基板５２にはコイルの端子部５３が設けられており、磁気ヘッド２１，４１のコイル２９，４９がこの端子部５３に接続されている。
【００２２】
次に、図４及び図５には、磁気ヘッド２１，４１のギャップ近傍の拡大図を含む斜視図を示す。
まず、図４に示すように、一方の磁気ヘッド２１は、板状のＣ型コア２２及びＩ型コア２３が突合わされて概略構成されている。Ｃ型コア２２には巻線溝２４が設けられており、この巻線溝２４を通して各コア２２、２３に前述のコイル２９が巻回される。Ｃ型コア２２及びＩ型コア２３の図中奥側にある各面が取付面２２ａ、２３ａとされており、この取付面２２ａ、２３ａが前述の基板５２に接合されることにより磁気ヘッド２１が回転シリンダ５１に搭載される。そして、この磁気ヘッド２１においては、図中矢印で示すヘッドの移動方向に対して、Ｃ型コア２２がＩ型コア２３より先行する位置関係になっている。
【００２３】
また、磁気ヘッド２１には凸曲面状の媒体摺動面２１ａが設けられている。更に各コア２２、２３の突き合わせ部分には非磁性材料からなるギャップ層２５が挟み込まれており、このギャップ層２５が媒体摺動面２１ａ側に露出することによりギャップＧ１が形成されている。ギャップＧ１は、取付面２２ａ、２３ａに対して所定の角度で傾斜している。
【００２４】
また、図４の拡大図に示すように、ギャップＧ１の幅方向両側には一方及び他方のトラック溝２６ａ、２６ｂが設けられ、各トラック溝２６ａ、２６ｂにはガラス等の非磁性材料２６ｃ、２６ｄが充填されている。また、図中手前側のトラック溝２６ｂは、取付面２２ａ、２３ａ側のトラック溝２６ａよりも深く形成されている。
これにより、ギャップＧ１がコア２２，２３の幅方向に対して取付面２２ａ、２３ａの側に偏心して位置することになる。
【００２５】
同様に、図５に示すように、他方の磁気ヘッド４１は、板状のＣ型コア４２及びＩ型コア４３が突合わされて概略構成されている。Ｃ型コア４２には巻線溝４４が設けられており、この巻線溝４４を通して各コア４２、４３に前述のコイル４９が巻回される。Ｃ型コア４２及びＩ型コア４３の図中奥側にある各面が取付面４２ａ、４３ａとされており、この取付面４２ａ、４３ａが前述の基板５２に接合されることにより磁気ヘッド４１が回転シリンダ５１に搭載される。そして、この磁気ヘッド４１においては、図中矢印で示すヘッドの移動方向に対して、Ｉ型コア４３がＣ型コア４２より先行する位置関係になっている。
【００２６】
また、磁気ヘッド４１には凸曲面状の媒体摺動面４１ａが設けられている。各コア４２、４３の突合せ部分には非磁性材料からなるギャップ層４５が挟み込まれており、このギャップ層４５が媒体摺動面４１ａ側に露出することによりギャップＧ２が形成されている。ギャップＧ２は、取付面４２ａ、４３ａに対して所定の角度で傾斜している。
【００２７】
また、図５の拡大図に示すように、ギャップＧ２の幅方向両側には一方及び他方のトラック溝４６ａ、４６ｂが設けられ、各トラック溝４６ａ、４６ｂにはガラス等の非磁性材料４６ｃ、４６ｄが充填されている。また、図中手前側のトラック溝４６ｂは、取付面４２ａ、４３ａ側のトラック溝４６ａよりも深く形成されている。
これにより、ギャップＧ２がコア４２，４３の幅方向に対して取付面４２ａ、４３ａの側に偏心して位置することになる。
【００２８】
次に図６には、各磁気ヘッド２１，４１を媒体摺動面２１ａ、４１ａからみた平面模式図を示す。
図６に示すように、各磁気ヘッド２１，４１のギャップＧ１、Ｇ２は、相対的に所定のアジマス角をもって傾斜している。各ギャップＧ１、Ｇ２のアジマス角は、基板５２の基板面５２ａの法線方向を基準として一方（例えばＧ１）を＋１０°以上とし、他方（例えばＧ２）を−１０°以下とすることが好ましい。また、一方を＋１０°以上＋３０°の範囲とし、他方を−３０°以上−１０°以下の範囲としても良い。
特に本発明の効果は、アジマス角の範囲がより広がった場合に顕著となる。即ち、アジマス角が±１０°の範囲より広がった場合に信号の出力差が生じにくくなる。
【００２９】
また、ヘッドの移動方向、即ち回転シリンダ５１の回転方向に沿って、一方の磁気ヘッド２１のＣ型コア２２がＩ型コア２３に対して先行するとともに、他方の磁気ヘッド４１のＩ型コア４３がＣ型コア４２に対して先行するように配置されている。
更に、各磁気ヘッド２１，４１のギャップＧ１、Ｇ２の位置（ギャップＧ１、Ｇ２のトラック幅方向中心）から基板面５２ａまでの高さＨが各磁気ヘッド２１，４１において同一に設定されている。
【００３０】
このように、各磁気ヘッド２１，４１間において高さＨが同一に設定され、アジマス角が一方（例えばＧ１）を＋１０°以上とし、他方（例えばＧ２）を−１０°以下に設定されることで、各磁気ヘッド２１、４１の信号の出力差が小さくなり、映像または音声の記録・再生を問題なく行うことができる。
【００３１】
次に、図４及び図５の拡大図並びに図６に示すように、磁気ヘッド２１のＣ型コア２２のギャップ近傍部分Ｍ３と、磁気ヘッド４１のＣ型コア４２のギャップ近傍部分Ｍ４の形状がほぼ同一とされている。Ｃ型コアのギャップ近傍部分の形状及び体積は、ヘッドの電磁変換特性に大きく影響する。本発明のように、各ギャップＧ１、Ｇ２がコア幅に対して偏心して設けられた場合でも、各磁気ヘッド２１，４１のＣ型コア２２，４２のギャップ近傍部分Ｍ３、Ｍ４の形状及び体積が同一になることで、各磁気ヘッド２１，４１の電磁変換特性を一致させることができ、各磁気ヘッド２１，４１の出力差を小さくすることができる。
尚、各ギャップ近傍部分Ｍ３、Ｍ４は、ギャップＧ１、Ｇ２からヘッドの移動方向またはその反対方向に沿ってそれぞれ１００μｍ離れた領域までの、図６中斜線部分までの体積である。図４及び５では、各ギャップ近傍部分Ｍ３、Ｍ４を太線で示している。
【００３２】
次に、上記の磁気ヘッドの製造方法について説明する。
図４に示す一方の磁気ヘッド２１を製造する際には、図７Ａに示すように、巻線溝３０４を有するＣ型コアブロック３０１と、Ｉ型コアブロック３０２とを一体化させてなるコアブロック３０３を用意する。
このコアブロック３０３は、図示略のギャップ層を挟んでＣ型及びＩ型コアブロック３０１、３０２の各突合せ面３０１ａ、３０２ａを相互に突き合わせて形成したもので、各突合せ面３０１ａ、３０２ａに設けられた複数のトラック溝３０１ｂ…、３０２ｂ…の位置を相互に合わせた状態で一体化されて形成されている。得られたコアブロック３０３には、トラック溝３０１ｂ…、３０２ｂ…により複数のトラック穴３０３ｂ…が各付合せ面３０１ａ、３０２ａに沿って等間隔に形成される。尚、トラック穴３０３ｂ…（トラック溝３０１ｂ…、３０２ｂ…）にはガラス等の非磁性材料が充填されている。また、各トラック穴３０３ｂ…が露出する上面３０３ａが最終的に磁気ヘッド２１の媒体摺動面２１ａとなる。また、隣接するトラック穴３０３ｂ、３０３ｂ同士により挟まれた部分が最終的に磁気ヘッド２１のギャップＧ１となる。
【００３３】
次に図７Ｂに示すように、先程のコアブロック３０３を上面３０３ａ側から望んだ際に、Ｃ型コアブロック３０１が右側に位置するように配置した状態で、図中一点鎖線に示す切断線に沿って切断する。各切断線は各突合せ面に対して所定の角度をもって図中左下がりに傾斜しており、また各切断線はトラック溝３０１ｂ、３０２ｂを非対称に分割するように設定されている。
このように切断することで、トラック穴３０３ｂ、３０３ｂ同士に挟まれた部分（ギャップＧ１）が図中下側に偏心した状態で切り出される。こうすることにより、図４に示すような磁気ヘッド２１が得られる。
【００３４】
次に図５に示す他方の磁気ヘッド４１を製造する際には、図８Ａに示すように、図７Ａに示したものと同じコアブロック３０３を用意する。尚、図８Ａでは、Ｃ型コアブロック３０１が左側に位置するように図示している。言い換えると、図８Ａは図７Ａの後方側からコアブロック３０３を望んだ状態を図示している。
尚、このコアブロック３０３においては、各トラック穴３０３ｂ…が露出する上面３０３ａが最終的に磁気ヘッド４１の媒体摺動面４１ａとなる。また、隣接するトラック穴３０３ｂ、３０３ｂ同士により挟まれた部分が最終的に磁気ヘッド４１のギャップＧ２となる。
【００３５】
次に図８Ｂに示すように、先程のコアブロック３０３を上面３０３ａ側から望んだ際に、Ｃ型コアブロック３０１が左側に位置するように配置した状態で、図中一点鎖線に示す切断線に沿って切断する。各切断線は各突合せ面に対して所定の角度をもって図中右下がりに傾斜しており、また各切断線はトラック溝３０１ｂ、３０２ｂを非対称に分割するように設定されている。
このように切断することで、トラック穴３０３ｂ、３０３ｂ同士に挟まれた部分（ギャップＧ２）が図中下側に偏心した状態で切り出される。こうすることにより、図５に示すような磁気ヘッド４１が得られる。
【００３６】
従って、本発明に係る磁気ヘッド２１，４１は、コアブロック３０３を切断するにあたり、コアブロック上面３０３ａ側から望んだ際にＣ型コアブロック３０１が右側または左側に位置するように配置した状態でそれぞれ切断することにより得られる。
【００３７】
このようにして得られた磁気ヘッド２１、４１のＣ型コアのギャップ近傍の部分Ｍ３、Ｍ４の体積は、例えば、Ｍ３で４７３×１０−６ｍｍ３、Ｍ４で４７２×１０−６ｍｍ３となり、ギャップＧ１、Ｇ２が偏心した状態で切り出された場合でも、Ｍ３、Ｍ４の体積がほぼ同じ体積となる。
得られた各磁気ヘッド２１，４１を図６に示すように配置することにより、本発明に係る回転式ヘッド１が得られる。この回転式磁気ヘッド１によれば、各磁気ヘッド２１，４１の出力差が小さくなり、画像のちらつきやフリッカー等の発生を防止できる。
また、各磁気ヘッド２１，４１の出力差が小さくなるため、ＨｉＦｉ方式による音声の録音再生時における音声の歪みなどの不具合を防止できる。
【００３８】
【実施例】
（映像ヘッドへの適用例）
図４及び図５に示したようなアジマス角の異なる一対の磁気ヘッドを製造し、これらの磁気ヘッドを回転シリンダに搭載して実施例１の回転式磁気ヘッドを５０個製造した。得られた回転式磁気ヘッドについて１０ＭＨｚにおける記録再生出力特性を調査した。
尚、使用した磁気ヘッドのうち、図４に対応する一方の磁気ヘッド（Ｒｃｈ）の形状寸法は、媒体摺動面の曲率半径８ｍｍ、Ｃ型コア及びＩ型コアの幅１ｍｍ、ギャップのトラック幅３２μｍ、ギャップ高さＨ（Ｈ寸法）６５μｍ、アジマス角＋３０°、Ｃ型コアのギャップ近傍部分の体積４７３×１０−６ｍｍ３であった。
また、図５に対応する他方の磁気ヘッド（Ｌｃｈ）の形状寸法は、アジマス角−３０°、Ｃ型コアのギャップ近傍部分の体積４７２×１０−６ｍｍ３であり、他の寸法は上記一方の磁気ヘッドの場合と同様であった。
【００３９】
次に、図１３Ａ及び図１３Ｂに示すようなアジマス角の異なる従来の一対の磁気ヘッドを製造し、これらの磁気ヘッドを回転シリンダに搭載して比較例１の回転式磁気ヘッドを５０個製造した。得られた回転式磁気ヘッドについて１０ＭＨｚにおける記録再生出力特性を調査した。
尚、使用した磁気ヘッドのうち、図１３Ａに対応する一方の磁気ヘッド（Ｒｃｈ）の形状寸法は、媒体摺動面の曲率半径８ｍｍ、Ｃ型コア及びＩ型コアの幅１ｍｍ、ギャップのトラック幅３２μｍ、ギャップ高さＨ（Ｈ寸法）６５μｍ、アジマス角＋３０°、Ｃ型コアのギャップ近傍部分の体積４７３×１０−６ｍｍ３であった。
また、図１３Ｂに対応する他方の磁気ヘッド（Ｌｃｈ）の形状寸法は、アジマス角−３０°、Ｃ型コアのギャップ近傍部分の体積３４０×１０−６ｍｍ３であり、他の寸法は上記一方の磁気ヘッドの場合と同様であった。
【００４０】
図９に、周波数１０ＭＨｚにおける実施例１の回転式磁気ヘッドの出力信号電圧の分布を表すヒストグラムを示し、また図１０には、周波数１０ＭＨｚにおける比較例１の回転式磁気ヘッドの出力信号電圧の分布を表すヒストグラムを示す。
【００４１】
図９に示すように、実施例１の回転式磁気ヘッドでは、出力信号の電圧分布の中心がＲｃｈ、Ｌｃｈとも１４５μＶとなり、各磁気ヘッドにおいてほぼ一致していることが分かる。
一方、図１０に示すように、比較例１の回転式磁気ヘッドでは、出力信号の電圧分布の中心が一方の磁気ヘッド（Ｒｃｈ）で１２５〜１３０μＶ、他方の磁気ヘッド（Ｌｃｈ）で１１５μＶとなり、各磁気ヘッドにおいて出力信号の電圧が異なることがわかる。
【００４２】
このように、比較例１において電圧分布の中心値に差が生じたのは、Ｃ型コアのギャップ近傍部分の体積に差が見られたため、これが電磁変換特性に大きく影響し、出力差が実施例１よりも大きくなったものと考えられる。
【００４３】
（ＨｉＦｉ用音声ヘッドへの適用例）
図４及び図５に示したようなアジマス角の異なる一対の磁気ヘッドを製造し、更に巻線５０をそれぞれ施して図１４及び図１５に示すようなＨｉＦｉ式音声用ヘッドを得た。これらの音声用ヘッドを回転シリンダに搭載して実施例２の回転式磁気ヘッド（ＨｉＦｉヘッド）を５０個製造した。得られた回転式磁気ヘッドについて１．７ＭＨｚにおけるＨｉＦｉ音声出力特性を調査した。
尚、使用した磁気ヘッドのうち、図１４に対応する一方の磁気ヘッド（Ｒｃｈ）の形状寸法は、媒体摺動面の曲率半径８ｍｍ、Ｃ型コア及びＩ型コアの幅１ｍｍ、ギャップのトラック幅２８μｍ、ギャップ高さＨ（Ｈ寸法）６０μｍ、アジマス角＋３０°、Ｃ型コアのギャップ近傍部分の体積４７３×１０−６ｍｍ３であった。
また、図１５に対応する他方の磁気ヘッド（Ｌｃｈ）の形状寸法は、アジマス角−３０°、Ｃ型コアのギャップ近傍部分の体積４７２×１０−６ｍｍ３であり、他の寸法は上記一方の磁気ヘッドの場合と同様であった。
【００４４】
次に、図１３Ａ及び図１３Ｂに示すようなアジマス角の異なる従来の一対の磁気ヘッドを製造し、これらの磁気ヘッドを回転シリンダに搭載して比較例２の回転式磁気ヘッドを５０個製造した。得られた回転式磁気ヘッドについて１．７ＭＨｚにおけるＨｉＦｉ音声出力特性を調査した。
尚、使用した磁気ヘッドのうち、図１３Ａに対応する一方の磁気ヘッド（Ｒｃｈ）の形状寸法は、媒体摺動面の曲率半径８ｍｍ、Ｃ型コア及びＩ型コアの幅１ｍｍ、ギャップのトラック幅２８μｍ、ギャップ高さＨ（Ｈ寸法）６０μｍ、アジマス角＋３０°、Ｃ型コアのギャップ近傍部分の体積４７３×１０−６ｍｍ３であった。
また、図１３Ｂに対応する他方の磁気ヘッド（Ｌｃｈ）の形状寸法は、アジマス角−３０°、Ｃ型コアのギャップ近傍部分の体積３４０×１０−６ｍｍ３であり、他の寸法は上記一方の磁気ヘッドの場合と同様であった。
【００４５】
図１６に、周波数１．７ＭＨｚにおける実施例２の回転式磁気ヘッドの出力信号電圧の分布を表すヒストグラムを示し、また図１７には、周波数１．７ＭＨｚにおける比較例２の回転式磁気ヘッドの出力信号電圧の分布を表すヒストグラムを示す。
【００４６】
図１６に示すように、実施例２の回転式磁気ヘッドでは、出力信号の電圧分布の中心がＲｃｈ、Ｌｃｈとも２６５〜３００μＶの範囲で中心が２８１μＶとなり、各磁気ヘッドにおいてほぼ一致していることが分かる。
一方、図１７に示すように、比較例１の回転式磁気ヘッドでは、出力信号の電圧分布の中心が一方の磁気ヘッド（Ｒｃｈ）で２６７〜２９５μＶの範囲で中心が２８０μＶとなり、他方の磁気ヘッド（Ｌｃｈ）で２２２〜２５４μＶの範囲で中心が２４０μＶとなり、各磁気ヘッドにおいて出力信号の電圧が異なることがわかる。
【００４７】
このように、比較例２において電圧分布の中心値に差が生じたのは、Ｃ型コアのギャップ近傍部分の体積に差が見られたため、これが電磁変換特性に大きく影響し、出力差が実施例２よりも大きくなったものと考えられる。
【００４８】
【発明の効果】
以上、詳細に説明したように、本発明の回転式ヘッドによれば、ギャップ位置が前記Ｉ型コア及びＣ型コアの幅方向に対して偏心せしめるように設けられた状態で、一方の磁気ヘッドのＣ型コアがＩ型コアに対して先行するとともに、他方の磁気ヘッドのＩ型コアがＣ型コアに対して先行するように配置構成されているので、Ｃ型コアのギャップ近傍部の形状が各磁気ヘッド間でほぼ同一形状となり、ギャップ近傍部の体積がほぼ同一になって記録再生出力を一致させることができ、この回転式磁気ヘッドをＶＴＲ等の映像ヘッドとして使用した場合には、画像のちらつきやフリッカー等の発生を防止できる。
また、この回転式磁気ヘッドをＶＴＲ等のＨｉＦｉ用音声ヘッドとして使用した場合には、各磁気ヘッドの記録再生出力を一致させることで、音声の歪みなどの不具合の発生を防止できる。
【図面の簡単な説明】
【図１】本発明の実施形態であるテープ媒体記録再生装置のテープローディング系路を示す平面模式図。
【図２】本発明の実施形態であるテープ媒体記録再生装置に備えられる回転式磁気ヘッドを示す平面模式図。
【図３】回転式磁気ヘッドの要部を示す断面模式図。
【図４】回転式磁気ヘッドに備えられる一方の磁気ヘッドのギャップ近傍拡大図を含む斜視図。
【図５】回転式磁気ヘッドに備えられる他方の磁気ヘッドのギャップ近傍拡大図を含む斜視図。
【図６】一方及び他方の磁気ヘッドを媒体摺動面側からみた平面模式図。
【図７】一方の磁気ヘッドの製造方法を説明するための工程図。
【図８】他方の磁気ヘッドの製造方法を説明するための工程図。
【図９】周波数１０ＭＨｚにおける実施例１の回転式磁気ヘッドの出力信号電圧の分布を示すグラフ。
【図１０】周波数１０ＭＨｚにおける比較例１の回転式磁気ヘッドの出力信号電圧の分布を示すグラフ。
【図１１】従来の磁気ヘッドの製造方法を説明するための工程図。
【図１２】一従来の磁気ヘッドの製造方法を説明するための工程図。
【図１３】従来の回転式磁気ヘッドに備えられる一対の磁気ヘッドのギャップ近傍拡大図を含む斜視図。
【図１４】実施例２の回転式磁気ヘッドに備えられる一方の磁気ヘッドを示す図であって、Ａは正面図であり、Ｂは磁気ヘッドの要部を示す拡大平面図。
【図１５】実施例２の回転式磁気ヘッドに備えられる他方の磁気ヘッドを示す図であって、Ａは正面図であり、Ｂは磁気ヘッドの要部を示す拡大平面図。
【図１６】周波数１．７ＭＨｚにおける実施例２の回転式磁気ヘッドの出力信号電圧の分布を示すグラフ。
【図１７】周波数１．７ＭＨｚにおける比較例２の回転式磁気ヘッドの出力信号電圧の分布を示すグラフ。
【符号の説明】
１　回転式磁気ヘッド
２１　磁気ヘッド（一方の磁気ヘッド）
２２、４２　Ｃ型コア
２３、４３　Ｉ型コア
２４、４４　巻線溝
２６ａ、４６ａ　トラック溝（一方のトラック溝）
２６ｂ、４６ｂ　トラック溝（他方のトラック溝）
４１　磁気ヘッド（他方の磁気ヘッド）
５１　回転シリンダ
５２　基板
Ｇ１、Ｇ２　ギャップ
【図１】
2004079155.tif 000003
【図２】
2004079155.tif 000004
【図３】
2004079155.tif 000005
【図４】
2004079155.tif 000006
【図５】
2004079155.tif 000007
【図６】
2004079155.tif 000008
【図７】
2004079155.tif 000009
【図８】
2004079155.tif 000010
【図９】
2004079155.tif 000011
【図１０】
2004079155.tif 000012
【図１１】
2004079155.tif 000013
【図１２】
2004079155.tif 000014
【図１３】
2004079155.tif 000015
【図１４】
2004079155.tif 000016
【図１５】
2004079155.tif 000017
【図１６】
2004079155.tif 000018
【図１７】
2004079155.tif 000019